(57)【要約】【課題】複数の映像信号が入力できる録画・表示装置において、録画中に録画対象となる映像信号とは別の映像信号を表示していた場合、録画対象である映像信号の内容を確認しながら録画を停止する為には、ユーザは意図的に録画対象の信号を表示させる操作を行わなければならなかった。【解決手段】録画開始時に録画対象となる映像信号の入力端子情報をマイクロコントローラ１３のＲＡＭ１４に保存し、ユーザＩ／Ｆ回路１２から録画停止の命令があった場合に、マイクロコントローラ１３は現在表示中の信号が録画対象の信号と異なる場合に、入力切替回路１１を制御し録画対象となる映像信号を表示回路１７に送る。【選択図】図１
2006254025.tif 000002
【特許請求の範囲】
【請求項１】
録画を停止する命令に連動して録画対象となる映像信号を表示し、映像の内容を見ながら録画を停止するか否かをユーザが選択できる機能を備えている、ことを特徴とする映像録画・表示装置。
【請求項２】
録画を停止する命令に連動して録画対象となる映像信号を画面の一部に表示し、映像の内容を見ながら録画を停止するか否かをユーザが選択できる機能を備えている、ことを特徴とする映像録画・表示装置。
【発明の詳細な説明】
【技術分野】
【０００１】
本発明は、映像信号の録画・表示に関するものである。
【背景技術】
【０００２】
従来ＶＴＲ一体型のＴＶは数多く普及し、近年においては表示媒体がブラウン管から液晶やプラズマに、又録画媒体もビデオテープからＤＶＤメディアやＨＤ、メモリカードと変化しつつも依然として表示・録画機能を一体とした機器の需要は継続してあり、市場としても確立されている。又、一体型ではないが赤外線信号や専用の制御線を用いて接続されている録画機器等の制御を行うことができるＴＶも最近、多く普及してきている。
【０００３】
この様な機器は多機能であり大変便利ではあるが、一方で多機能な故に操作が複雑になり扱いづらいという点がある。ＶＴＲ一体型ＴＶにおいても過去から操作性という観点から様々な改善がなされてきた。例えば、再生時にＶＴＲの再生キーを押すだけで入力ソースがＶＴＲ部に自動に切り替わったり、表示中のチャンネルの放送を録画するときは、録画操作のみにより、ＶＴＲ部が自動的にその放送のチャンネルの録画に制御されたりするといったものがある（例えば、特許文献１参照）。
【０００４】
しかしながら、このような改善にも勝りＴＶの機能は昨今、著しく増大してきており、操作性を犠牲にしているケースは多い。録画機能においても、録画中は録画対象となる映像に表示を固定したり、録画中の映像と異なる入力映像に切り替えることができたとしても、録画を手動で停止する為には表示を録画中の映像に意図的に切り替えるか、録画している映像の内容を確認せずに強制的に録画を停止するしかなく、操作性に難がある。
【特許文献１】特開平０６−２３３２０１号公報
【発明の開示】
【発明が解決しようとする課題】
【０００５】
複数の映像信号が入力できる録画・表示装置において、録画中に録画対象となる映像信号とは別の映像信号を表示していた場合、録画対象である映像信号の内容を確認しながら録画を停止する為には、ユーザは意図的に録画対象の信号を表示させる操作を行わなければならなかった。
【課題を解決するための手段】
【０００６】
本発明は録画停止の命令に連動し録画対象の信号を表示することで、映像信号の内容を確認しながら録画停止を容易に行える装置を提供することを目的とする。
【発明の効果】
【０００７】
以上に説明したように、本発明による録画・表示装置によれば録画を停止する際に録画対象となる信号に入力を切り替える手間も無く、また録画対象となる信号が装置に入力されているどの信号であるかを覚えておく手間も無くなる。
【発明を実施するための最良の形態】
【０００８】
（実施の形態１）
図１は、本発明装置の実施の形態の一例のブロック図であって、複数の映像信号を切り替えられる入力切替回路１１と入力切替回路１１から出力された信号Ｄ１０４を録画する録画回路１５と入力切替回路から出力された映像信号Ｃ１０３とＯＳＤ信号１０５を合成するＯＳＤ合成回路１６と合成後の信号を表示する表示回路１７と外部からのコマンドを受け取るユーザＩ／Ｆ回路１２と以上の回路を制御するマイクロコントローラ１３と入力切替の設定を保存するＲＡＭ１４から構成される。
【０００９】
マイクロコントローラ１３は、ユーザからのコマンドをユーザＩ／Ｆ回路１２を通して受け取り、そのコマンドが録画開始命令であった場合には、録画回路１５に現在表示している映像信号Ｃ１０３が入力されるように入力切替回路１１を制御する（図３  ステップＡ２）。この時、マイクロコントローラ１３はＲＡＭ１４に入力切替設定の情報を保存しておく（図３  ステップＡ３）。マイクロコントローラ１３は録画回路１５を制御して録画を開始する（図３  ステップＡ４）。マイクロコントローラ１３は録画停止命令をユーザＩ／Ｆ回路から受け取った場合には、まず現在表示されている映像信号が録画対象となっている映像信号Ｄ１０４と同じかどうかをＲＡＭ１４に保存された入力切替設定の情報と比較する（図３  ステップＡ６）。異なっていた場合には、マイクロコントローラ１３はＲＡＭ１４に現在の入力切替設定の情報をＲＡＭ１４に保存（図３  ステップＡ７）した後、表示回路１７に録画対象となっている映像信号Ｄ１０４の信号が入力されるように入力切替回路１１を制御する（図３  ステップＡ８）。
【００１０】
次にマイクロコントローラ１３は録画を停止するか否かを確認するＧＵＩをＯＳＤ信号１０５としてＯＳＤ合成回路１６に送り表示回路１７に表示させる（図３  ステップＡ９）。録画停止、又は継続の命令を受け取るとマイクロコントローラ１３は命令に応じて録画回路１５を制御すると共に、図３のステップＡ８で入力切替の設定を変更していた場合には、ＲＡＭ１４に保存した入力切替設定の情報を用いて映像信号Ｃ１０３が切り替え前の信号となるように入力切替回路１１を制御する（図３  ステップＡ１４）。
【００１１】
（実施の形態２）
図２は、本発明装置の実施の形態の一例のブロック図であって、複数の映像信号を切り替えられる入力切替回路２１と入力切替回路２１から出力された信号を録画する録画回路２５と入力切替回路から出力される表示用の映像信号Ｃ２０３と録画用の映像信号Ｄ２０４を合成する映像合成回路２６と合成された信号とＯＳＤ信号２０５を合成するＯＳＤ合成回路２７と合成後の信号を表示する表示回路２８と外部からのコマンドを受け取るユーザＩ／Ｆ回路２２と以上の回路を制御するマイクロコントローラ２３から構成される。
【００１２】
マイクロコントローラ２３は、ユーザからのコマンドをユーザＩ／Ｆ回路２２を通して受け取り、そのコマンドが録画開始命令であった場合には、録画回路６に現在表示している映像信号Ｃ２０３が入力されるように入力切替回路２１を制御する（図４  ステップＢ２）。マイクロコントローラ２３は録画回路２６を制御して録画を開始する（図４  ステップＢ３）。マイクロコントローラ２３は録画停止命令をユーザＩ／Ｆ回路２２から受け取った場合には、映像合成回路を制御し録画対象となっている映像信号Ｄ２０４を画面の１部に表示する（図４  ステップＢ５）。
【００１３】
次にマイクロコントローラ２３は録画を停止するか否かを確認するＧＵＩをＯＳＤ信号２０５としてＯＳＤ合成回路２７に送り表示回路２８に表示させる（図４  ステップＢ６）。録画停止、又は継続の命令を受け取るとマイクロコントローラ２３は命令に応じて録画回路２５を制御すると共に録画停止確認用に表示した映像信号Ｄ２０４を映像合成回路２６を制御し画面から消去する（図４  ステップＢ１０）。
【産業上の利用可能性】
【００１４】
本発明の映像信号録画・表示装置は、録画を停止する際に録画対象となる信号に入力を切り替える手間も無く、また録画対象となる信号が装置に入力されているどの信号であるかを覚えておく手間も無くなる機能を有し、映像信号の録画・表示に有用である。
【図面の簡単な説明】
【００１５】
【図１】実施の形態１の映像信号録画・表示装置の構成を示す図
【図２】実施の形態２の映像信号録画・表示装置の構成を示す図
【図３】実施の形態１の映像信号録画・表示装置の処理を示すフローチャート
【図４】実施の形態２の映像信号録画・表示装置の処理を示すフローチャート
【符号の説明】
【００１６】
１１，２１    映像入力信号切替回路
１２，２２    ユーザＩ／Ｆ回路
１３，２３    マイクロコントローラ
１４    ＲＡＭ
１５，２５    録画回路
２６    映像合成回路
１６，２７    ＯＳＤ合成回路
１７，２８    映像表示回路
【図１】
2006254025.tif 000003
【図２】
2006254025.tif 000004
【図３】
2006254025.tif 000005
【図４】
2006254025.tif 000006